(57)【特許請求の範囲】
【請求項１】
給湯機本体と、この給湯機本体を遠隔制御するリモコンとからなり、前記給湯機本体は、本体送受信手段、リモコンへの送信タイミングを制御するタイマー手段、リモコン操作または給湯機本体の動作が何回あったかを前記本体送受信手段からの信号を確認して一定時間毎に記憶する学習カウンター、この学習カウンターが一定時間毎に記憶しているリモコン操作と給湯機本体の動作回数を確認して前記リモコンの間欠受信周期の配分を決定し、受信周期の変更タイミングでは前記本体送受信手段を介して前記リモコンに間欠受信周期の変更指示を出し、同時に前記タイマー手段にも送信周期の変更指示を出す学習制御手段、およびアンテナを備え、リモコンは、電池電源、給湯運転条件を操作入力する操作手段、表示手段、前記給湯機本体との送受信手段、この送受信手段を介して前記給湯機本体から送信されるデータより間欠受信の周期を決定し、前記送受信手段の電源を制御する間欠受信タイマー、およびアンテナをそれぞれ備えたコードレスリモコン給湯機。
【請求項２】
間欠受信タイマーは、前記リモコンに電池を挿入後、最初の操作を行うまで受信を行わない機能を備えるとともに、データ受信ができないことを報知する報知手段を設けた請求項１記載のコードレスリモコン給湯機。
【請求項３】
間欠受信タイマーは、使用頻度の高い時間帯は間欠受信周期を小さく、使用頻度の低い時間帯は間欠受信周期を大きくするように設定した請求項１記載のコードレスリモコン給湯機。
【発明の詳細な説明】
【技術分野】
【０００１】
本発明は、遠隔設置した器具とコントローラ（以下、リモコンという）間を電波を用い
て通信制御を行うコードレスリモコン給湯機に関する。
【背景技術】
【０００２】
従来のコードレスリモコン給湯機のシステムについて図３により説明する。図３において、１はリモコン、２は電池電源、３はスイッチで構成される操作手段、４はＬＣＤパネル等の表示手段、５は給湯機本体との送受信手段、６は間欠的な受信を制御する間欠受信タイマー、７はリモコンアンテナである。
【０００３】
また、８は給湯機本体、９はリモコンとの送受信手段、１０は本体制御手段、１１は送信タイミングを決定するタイマー手段、１２はアンテナである。
【０００４】
給湯機本体８とリモコン１の通信が開始されていない状態からリモコン１のスイッチ３の操作を行うと、リモコン１は操作信号を給湯機本体８に向けて送信し、給湯機本体８はこの信号を受信する。
【０００５】
その後給湯機本体８はリモコン１へ応答信号を送信するが、この応答信号の終了時点からＴ１秒後にタイミングをあわせて通信できるように、給湯機本体８はタイマー手段１１を、リモコン１は間欠受信タイマー６を起動する。
【０００６】
この動作によりタイマー同期を確立し、リモコン１ではこれ以降、間欠受信タイマー６がＴ２秒ごとに受信電源をオンさせ間欠的に受信を行い、給湯機本体８もＴ２秒毎にタイマー手段１１によりリモコン１への送信タイミングを持つようにする。
【０００７】
上記の構成により、リモコン１は間欠的に受信電源をオンすれば良いので、電池電源２の消費を低減することができ、電池交換の周期を長くすることが可能であった。
【発明の開示】
【発明が解決しようとする課題】
【０００８】
しかしながら上記のような構成では、電池寿命をできるだけ長くしようとすると、受信周期Ｔ２を長くする必要があったが、あまりＴ２を長くしすぎると、給湯機本体８の状態変化（例えば、点火、消火）が発生してもリモコン１に状態を表示するまでに時間がかかり、使い勝手の悪いリモコン１となっていた。
【０００９】
逆に、本体の状態変化を即表示できるようなＴ２を設定すると電池交換の周期が短くなってしまうという課題があり、給湯機を使用する確率が高い時だけＴ２を短くし、殆ど使用しない真夜中や不在時などはＴ２を長くするような、使い勝手と電池寿命の延長を両立する制御が求められていた。
【００１０】
本発明は、各家庭での給湯機の使用実態を学習し、使い勝手を損なうことなく、電池寿命を延長することを目的とする。
【課題を解決するための手段】
【００１１】
本発明のコードレスリモコン給湯機は、給湯機本体と、この給湯機本体を遠隔制御するリモコンとからなり、前記給湯機本体は、本体送受信手段、リモコンへの送信タイミングを制御するタイマー手段、リモコン操作または給湯機本体の動作が何回あったかを前記本体送受信手段からの信号を確認して一定時間毎に記憶する学習カウンター、この学習カウンターが一定時間毎に記憶しているリモコン操作と給湯機本体の動作回数を確認して前記リモコンの間欠受信周期の配分を決定し、受信周期の変更タイミングでは前記本体送受信手段を介して前記リモコンに間欠受信周期の変更指示を出し、同時に前記タイマー手段にも送信周期の変更指示を出す学習制御手段、およびアンテナを備え、リモコンは、電池電
源、給湯運転条件を操作入力する操作手段、表示手段、前記給湯機本体との送受信手段、この送受信手段を介して前記給湯機本体から送信されるデータより間欠受信の周期を決定し、前記送受信手段の電源を制御する間欠受信タイマー、およびアンテナをそれぞれ備えたもので、リモコンの電池寿命の延長が図れる。
【発明の効果】
【００１２】
本発明のコードレスリモコン給湯機は、リモコンの電池寿命の延長が図れるものである。
【発明を実施するための最良の形態】
【００１３】
本発明は、給湯機本体と、この給湯機本体を遠隔制御するリモコンとからなり、前記給湯機本体は、本体送受信手段、リモコンへの送信タイミングを制御するタイマー手段、リモコン操作または給湯機本体の動作が何回あったかを前記本体送受信手段からの信号を確認して一定時間毎に記憶する学習カウンター、この学習カウンターが一定時間毎に記憶しているリモコン操作と給湯機本体の動作回数を確認して前記リモコンの間欠受信周期の配分を決定し、受信周期の変更タイミングでは前記本体送受信手段を介して前記リモコンに間欠受信周期の変更指示を出し、同時に前記タイマー手段にも送信周期の変更指示を出す学習制御手段、およびアンテナを備え、リモコンは、電池電源、給湯運転条件を操作入力する操作手段、表示手段、前記給湯機本体との送受信手段、この送受信手段を介して前記給湯機本体から送信されるデータより間欠受信の周期を決定し、前記送受信手段の電源を制御する間欠受信タイマー、およびアンテナをそれぞれ備えたもので、例えば、使用頻度の高い時間帯は間欠受信タイマー間欠受信周期を小さく、使用頻度の低い時間帯は間欠受信周期を大きくするように設定することで、リモコンの電池寿命の延長が図られるものである。
【００１４】
また、間欠受信タイマーは、前記リモコンに電池を挿入後、最初の操作を行うまで受信を行わない機能を備えるとともに、データ受信ができないことを報知する報知手段を設けておけば、使用上の混乱を回避できる。
【００１５】
（実施の形態１）
以下、本発明の一実施の形態を図面を用いて説明する。
【００１６】
図１において、１はリモコン、２は電池電源、３はスイッチで構成される操作手段、４はＬＣＤパネル等の表示手段、５は給湯機本体との送受信手段、６は送受信手段５を介して給湯機本体から送信されるデータより間欠受信の周期を決定し、送受信手段５の電源を制御する間欠受信タイマー、７はリモコンアンテナである。
【００１７】
また、８は給湯機本体、９はリモコンとの送受信手段、１０は給湯機の燃焼を制御する本体制御手段、１１は送信タイミングを制御するタイマー手段、１４はリモコン操作または給湯機本体の動作が何回あったかを本体送受信手段９からの信号を確認して一定時間毎に記憶する学習カウンター、１３は学習カウンター１４が一定時間毎に記憶しているリモコン操作と給湯機本体の動作回数を確認してリモコンの間欠受信周期の配分を決定し、受信周期の変更タイミングでは本体送受信手段９を介してリモコン１に間欠受信周期の変更指示を出し、同時にタイマー手段１１にも送信周期の変更指示を出す学習制御手段、１２はアンテナである。
【００１８】
図２により、各家庭にコードレスリモコン給湯機が設置されてからの動作について説明する。まず、リモコン１に電池を挿入した時点では、リモコンの操作が初めて行われるまで、間欠受信タイマー６が電池の投入を検知して、リモコン送受信手段５の電池を全くオンしない（Ｓ１）。
【００１９】
従ってこの時点では、データ受信が不能なため、リモコン１は給湯機本体８の状態変化があっても対応した表示に変更することはできないが、電池投入時は特殊な表示をする（例えば、ＯＦＦと表示する）ことで使用者には理解させることができる。これにより不要な電池消耗を防ぐことができる。
【００２０】
次に、リモコン１のスイッチ操作を初めて行うと、リモコン１は操作信号を給湯機本体８に向けて送信し、給湯機本体８はこの信号を受信する。その後給湯機本体８はリモコン１へ応答信号を送信するが、この応答信号の終了時点からＴ１秒後にタイミングをあわせて通信できるように、給湯機本体８はタイマー手段１１を、リモコン１は間欠受信タイマー６を起動する。
【００２１】
この動作によりタイマー同期を確立し、リモコン１ではこれ以降、間欠受信タイマー６が６秒ごとにリモコン送受信手段５の電源をオンさせ間欠的に受信を行い、給湯機本体８も６秒毎にタイマー手段１１によりリモコン１への送信タイミングを持つようにする。
【００２２】
この際本来は、学習制御手段１３が学習カウンター１４が持つ給湯機使用回数の情報をみて間欠受信周期を決定するはずであるが、ここではリモコン操作が１回しかなく、使用回数の学習が不可能で有るため間欠受信周期として設定可能な範囲で最も短い６秒周期として通信を開始する（Ｓ２）。
【００２３】
６秒周期の受信の場合、給湯機本体８の状態変化（例えば、燃焼開始）があっても、６秒以内にリモコン１に対応する表示を出せることになる。この動作により、学習が終了するまでにおいても、使い勝手を損なうことはない。
【００２４】
次に（Ｓ２）より３日間は６秒周期の間欠受信で通信を行い、その間のリモコン操作回数、及び給湯機作動回数を３０分毎に区切って学習カウンター１４が記憶し、３日間が終了した時点で学習制御手段１３が学習カウンター１４のデータを集計する。
【００２５】
そして、２４時間を１単位として使用頻度の多い時間帯（３０分毎）から４時間分を６秒の間欠受信周期に、次に８時間分を１２秒の間欠受信周期に、残りの１２時間分を３０秒の間欠受信周期に割り振る（Ｓ３）。
【００２６】
さらに、間欠受信周期を切り換えるタイミングが来たときは、学習制御手段１３が本体送受信手段９に受信周期変更データをリモコン１に送信するよう指示し、リモコン１が変更データを受信し、応答を返して来たことを確認後、タイマー手段１１にも送信周期を変更するように指示する。
【００２７】
引き続いて、１１日間同じように給湯機の使用パターンを学習カウンター１４が記憶し、１１日間終了時点で学習制御手段１３が先と同様に集計を行い、間欠受信周期の配分を更新し学習の精度を上げ、リモコンの受信周期制御を行う（Ｓ４）。
【００２８】
この動作により、３日間という短い期間で仮に間欠受信周期の配分を決定し、ほとんど使用しない時間帯を仮に間欠受信周期を長く設定して電池消耗を軽減し、長期間で学習の精度をあげ、使い勝手を向上することができる。
【００２９】
また、学習が完了した時点から３日間連続してリモコン操作や給湯機本体８の作動がない場合は、使用者が長期の不在であると学習制御手段１３が判断し、間欠受信周期として設定可能範囲でもっとも長い３０秒を設定してリモコン１へ受信周期の変更を指示する（Ｓ５、Ｓ６）。
【００３０】
そして、３０秒の受信周期中に使用者が帰宅し、給湯機を使用し始めた場合は、直ちに学習により既に決定している受信周期の配分に戻すように学習制御手段１３が制御する（Ｓ３、Ｓ４）。
【００３１】
この動作により不在時には電池消耗を軽減し、次に操作があれば元の間欠受信周期に戻すことで使い勝手も損なわないものである。
【００３２】
また、給湯機の使用パターンを計１４日間かけて一度学習した後も１４日毎に学習カウンター１４のデータを学習制御手段１３が集計し、間欠受信周期の配分を更新する（Ｓ４）。
【００３３】
これにより、季節の変化や生活パターンの変化による給湯機の使用パターンの変化を間欠受信周期の配分に敏速に反映させ、使い勝手を向上することができる。
【００３４】
また、学習により３０秒または１２秒の受信周期に配分された時間帯に給湯機を使用した場合、給湯機本体８の状態変化（例えば給湯燃焼）があってもリモコン１の表示を対応した表示に変更するのに、最大３０秒または１２秒必要となる。
【００３５】
そこで、その際には学習制御手段１３が本体送受信手段９からのデータにより本体の状態変化を確認し、一定期間（ここでは状態変化発生後３分間）だけ間欠受信周期を最短の６秒に変更し、変更データをリモコン１に送るようにする。
【００３６】
これにより、表示応答が遅れる状態を継続させず、使用者に違和感をあたえないようにすることが可能である。
【図面の簡単な説明】
【００３７】
【図１】本発明の一実施の形態におけるコードレスリモコン給湯機のブロック図
【図２】同給湯機のシーケンスを示すフローチャート
【図３】従来のコードレスリモコン給湯機のブロック図
【符号の説明】
【００３８】
１  リモコン
２  電池電源
３  操作手段
５  リモコン送受信手段
６  間欠受信タイマー
８  給湯機本体
９  本体送受信手段
１１  タイマー手段
１３  学習制御手段
１４  学習カウンター
【図１】
0003856006.tif 000002
【図２】
0003856006.tif 000003
【図３】
0003856006.tif 000004